(57)【特許請求の範囲】
【請求項１】
レール上に該レールと直交する方向に配設した複数のラックと、前記ラックをレールに沿って移動させ任意のラック間に通路を形成し得るように電気的に付勢又は停止させる操作手段とからなり、該操作手段を、相互に隣接する一対のラックにそれぞれ設けた差込部と、いずれか一方の前記差込部に選択的に着脱可能に差し込まれる操作片と、該操作片に一端部を取着するとともに隣接するいずれか一方のラックに他端部を取着し操作片を他方のラックに設けた差込部に差し込むことにより前記通路の入口に亘って架設されて通路内への進入を禁止し得る索状部とからなるものとし、前記操作片の差込部への選択的な着脱によりラックの移動状態を電気的に変更し得るように構成したものにおいて、
前記差込部に前記操作片を着脱可能に差し込み得る開口端を設け、該差込部を、この開口端と通路の入口側となる前記ラックの前面部とを略面一にして該前面部に埋設しているとともに、
前記ラックの前面部の一部が、前記操作手段を取付けるために装着したパネルの面板によって構成され、
前記操作片の内部にスイッチを配設しており、前記差込部に設けた永久磁石と前記操作片との間に、マグネットスイッチ機構を構成し、
前記索状部が、その操作片側の端部を前記スイッチに接続しているとともに、ラック側の端部を電源や駆動機構に接続して配線を構成していることを特徴とする電動式移動ラック装置。
【請求項２】
前記差込部を、開口端が前記前面部に対して略法線方向に開口するように該前面部に取付けていることを特徴とする請求項１記載の電動式移動ラック装置。
【請求項３】
前記差込部に、前記操作片を差し込んでいるときに前記開口端を開成し、操作片を差し込んでいないときに該開口端を閉止する開閉自在な蓋体を配設していることを特徴とする請求項１又は２記載の電動式移動ラック装置。
【請求項４】
前記ラックの前面部の一部が、前記操作手段を取付けるために装着したパネルの面板によって構成されていることを特徴とする請求項１、２又は３記載の電動式移動ラック装置。
【発明の詳細な説明】
【０００１】
【発明の属する技術分野】
本発明は、書庫や倉庫等において好適に用いられ、ラックを電気的に移動させることができる電動式移動ラック装置に関するものである。
【０００２】
【従来の技術】
従来、この種の電動式移動ラック装置は、レール上に配設した複数のラックと、前記ラックをレールに沿って移動させ任意のラック間に通路を形成し得るように電気的に付勢又は停止させる操作手段とからなり、該操作手段を、相互に隣接する一対のラックの前面部にそれぞれ取付けたソケットと、いずれか一方の前記ソケットに選択的に着脱し得るプラグと、該プラグに一端部を取着するとともに隣接するいずれか一方のラックに他端部を取着しプラグを他方のラックに設けたソケットに差し込むことにより前記通路の入口に亘って架設されて通路内への進入を禁止し得る索状部とからなるものとし、前記プラグのソケットへの選択的な着脱によりラックの移動状態を電気的に変更し得るように構成したものが使用に供されている。
【０００３】
【発明が解決しようとする課題】
ところが、単にこのようなものであると、前記ソケットやプラグの電気端子類が外部に露出しており、この端子類に埃等が付着し易いために、劣化を早めたり接触不良を起こす原因となっている。また、ソケットがラックの前面部から突出して取付けられているために、外観を損ねているという不具合もある。
【０００４】
【課題を解決するための手段】
本発明は、以上のような問題に鑑みて、前記操作手段によるスイッチングを長期に亘り安定したものとすることができるとともに、外観をすっきりと良好なものとする電動式移動ラック装置を構成することとした。
【０００５】
【発明の実施の形態】
すなわち、本発明の電動式移動ラック装置は、レール上に該レールと直交する方向に配設した複数のラックと、前記ラックをレールに沿って移動させ任意のラック間に通路を形成し得るように電気的に付勢又は停止させる操作手段とからなり、該操作手段を、相互に隣接する一対のラックにそれぞれ設けた差込部と、いずれか一方の前記差込部に選択的に着脱可能に差し込まれる操作片と、該操作片に一端部を取着するとともに隣接するいずれか一方のラックに他端部を取着し操作片を他方のラックに設けた差込部に差し込むことにより前記通路の入口に亘って架設されて通路内への進入を禁止し得る索状部とからなるものとし、前記操作片の差込部への選択的な着脱によりラックの移動状態を電気的に変更し得るように構成したものにおいて、前記差込部に前記操作片を着脱可能に差し込み得る開口端を設け、該差込部を、この開口端と通路の入口側となる前記ラックの前面部とを略面一にして該前面部に埋設しているとともに、前記ラックの前面部の一部が、前記操作手段を取付けるために装着したパネルの面板によって構成され、前記操作片の内部にスイッチを配設しており、前記差込部に設けた永久磁石と前記操作片との間に、マグネットスイッチ機構を構成し、前記索状部が、その操作片側の端部を前記スイッチに接続しているとともに、ラック側の端部を電源や駆動機構に接続して配線を構成していることを特徴とする。
【０００６】
このようなものであれば、この種の移動ラック装置としての一般的な機能を保持しつつ、前記差込部の開口端がラックの前面部と略面一となるように、該差込部を前面部に組み込んでいるために、前記操作手段に埃等を付着しにくくすることができ、接触不良や劣化のおそれが少なく長期的に安定したスイッチングを実現し得るものとすることができる。また、このような構成により、差込部のラックからの突出をなくすことができ、外観の向上を図ることも可能である。さらに、前記差込部と操作片との間に設けたマグネットスイッチ機構を構成しているので、より一層効果的に、前記操作手段に埃等が付着しても操作性に支障を来さないものとすることができる。
【０００７】
このような構成において、前記操作手段の操作性を損なうことなく、埃等の付着を更に防止するためには、差込部を、開口端が前記前面部に対して略法線方向に開口するように該前面部に取付けることが望ましい。
さらに、前記操作片が差し込まれていない差込部に対しても埃等が付着しにくく、同時に外観を良好なものとするためには、差込部に、操作片を差し込んでいるときに開口端を開成し、操作片を差し込んでいないときに開口端を閉止する開閉自在な蓋体を配設することが有効である。
【０００８】
また、前記ラックの構造に大幅な変更を加えずに外観の向上を図り、操作手段を配設し得るようにするためには、前記ラックの前面部の一部を、前記操作手段を取付けるために装着したパネルの面板によって構成することが好ましい。
【０００９】
【実施例】
以下、本発明の一実施例を、図１〜図６を参照して説明する。
この電動式移動ラック装置１は、書庫や倉庫として使用されるもので、図１に示すように、相互に平行に敷設した一対のレール２上に複数のラック３を配設し、このラック３に設けた操作手段Ａを操作することによって、任意のラック３間に通路Ｂを形成するようにラック３を電気的に移動し得るものである。
【００１０】
ラック３は、図１及び図２に示すように、底板部３１と、前面部３２と、後面部３３と、天板３４と、複数の棚板３５とを具備してなるもので、移動方向両端に配置されるラック３以外のものは移動方向両端面３ａ、３ｂ側に棚空間を開口させており、移動方向両端に配置されるラック３はその外方側に位置する移動方向端面３ａ又は３ｂを閉塞している。また、移動方向両端に配置されるラック３は前記レール２上に移動不能に固設されており、それ以外のラック３は図示しない駆動機構を介してレール２に沿って左右に移動させ得るようにしている。しかして、ラック３を移動させてラック３間に通路Ｂを形成した際に、その入口側となる前記前面部３２の中段高さ位置を、前記操作手段Ａを取付けるために装着したパネル７によって構成している。
【００１１】
前記パネル７は、図１〜図３に示すように、前記ラック３の前面部３２に装着したもので、板金素材を折曲げて上面７１ａ、前面７１ｂ及び下面７１ｃを形成し巾寸法を前記前面部３２の巾寸法と略一致させた面板７１と、この面板７１の側面形状に対応し面板７１の側方を閉塞するカバー７２とからなるもので、図示しない適宜手段により前面部３２に装着している。しかして、面板７１の前面７１ｂの中段やや下方寄りの位置にパネル７の巾方向に連続して延びる溝部７１ｄを形成している。この溝部７１ｄには、相互に隣接するラック３の隣接位置に対応するように、後述する操作手段Ａの差込部４、及び索状部６のラック３に取着される側の端部６２を取付けるために、図３に拡大して示す第１取付孔７３及び第２取付孔７４を穿設している。この第１取付孔７３は、差込部４に対応して開口する横長形状の孔で、その上縁７３ａ及び下縁７３ｂに沿ってこの孔の上下各２箇所を拡開する係合凹部７３ｃを形成している。また、第２取付孔７４は略円形のもので、その前面側から中央部に矩形孔７５ａを有する合成樹脂性キャップ７５を嵌着している。
【００１２】
本実施例では、前記第１取付孔７３及び第２取付孔７４を設けるにあたり、図１及〜図３に示すように、移動方向両端に配置されるラック３の前面部３２に装着した面板７１の側縁７１ｅ近傍には第１取付孔７３のみを設けている。一方、それら以外のラック３については、面板７１の移動方向両端に配設されるラック３と隣接する側縁７１ｅ近傍に第１取付孔７３及び第２取付孔７４の両方を設け、移動方向両端に配設されないラック３同士が隣接する側の一方のラック３の面板７１の側縁７１ｅ近傍に第１取付孔７３及び第２取付孔７４の両方を設けるとともに、他方のラック３の面板７１の側縁７１ｅ近傍に第１取付孔７３のみを設けている。さらに、第１取付孔７３及び第２取付孔７４の両方を設けている面板７１のこれら取付孔７３、７４の上方位置に、ラック３の移動状態等を示す表示部７６を配設している。
【００１３】
前記操作手段Ａは、前記ラック３を電気的に移動するために操作するもので、図１〜図４に示すように、前記第１取付孔７３に取付けた差込部４と、この差込部４に着脱可能に差し込み得る操作片５と、一端部６１を該操作片５に取着し他端部６２を前記第２取付孔７４に取付けた索状部６とからなるものである。
この差込部４は、図３及び図４に示すように、前記パネル７の第１取付孔７３に挿入し得る大きさを有する合成樹脂製の中空匡体４１を主体としてなるもので、その前端を開口するとともにその周囲にフランジ４２を形成している。そして、前記操作片５を挿通し得るように中央部を開口した前枠体４８の側部に係合爪４８ａを設け、この係合爪４８ａとフランジ４２とを係合させることにより、前枠体４８を匡体４１に取付け、匡体４１の開口と前枠体４８の開口とを連通させて差込部４の開口端４９としている。また、この開口端４９の下縁４９ａの略中央部を切り欠いて開口端４９と下方空間とを連通する凹部４９ｂを形成している。さらに、前枠体４８の上縁及び下縁の各２箇所に係合爪４８ｂを突設し、前記第１取付孔７３の係合凹部７３ｃと係合し得るようにしている。一方、匡体４１の上壁４３に、その後縁４３ａに沿って並列する一対の磁石取付溝４３ｃを設け、そのいずれか一方に角形の永久磁石Ｍを取付けている。また、匡体４１の中空内部の上壁４３の前縁４３ｂ近傍に、前記開口端４９を閉止する方向に弾性体４５により付勢された開閉自在な蓋体４６を配設し、差込部４内に埃等が付着しないようにしている。さらに、匡体４１の下壁４４は、その一部を後方より切り欠くとともに、前方から中空内部に向けて後方に延出し先端に沿って突起４７ａを設けた薄肉の可撓性を有するクリック４７を突設している。このような構成からなる差込部４は、第１取付孔７３に挿入し、前記係合爪４８ｂと第１取付孔７３の係合凹部７３ｃとを係合させることにより前記パネル７の溝部７１ｄに取り付けられ、該パネル７の面板７１の前面７１ｂと前記開口端４９とを略面一としている。このとき、該開口端４９は面板７１に対して法線方向に開口していることとなる。そして、相互に隣接する第１取付孔７３に取り付けた差込部４には、互いに異なる側の磁石取付溝４３ｃにそれぞれ前記永久磁石Ｍを取付けている。
【００１４】
一方、前記操作片５は、図３及び図４に示すように、合成樹脂製の上片５１及び下片５２を嵌合しねじ５３で止着したもので、前端５ａに丸みを持たせるとともに、後端５ｂを薄肉狭巾としたものである。そして、操作上の便宜のため、上片５１及び下片５２の前端５ａ側に略対称な湾曲したつまみ部５４を凹設するとともに、前端５ａ側の側部に略左右対称なつまみ溝５５を刻設して操作時の滑り止めとしている。さらに、この操作片５を、後端５ｂ側から前記差込部４の開口端４９を開成するように蓋体４６を後方に回動させながら差込部４に挿入した際に、差込部４のクリック４７に設けた突起４７ａと係合し得る係合溝５６を前記下片５２の巾方向に亘って設け、これら突起４７ａと係合溝５６とを係合させることにより、操作片５の脱落防止を図っている。また、前記下片５２の前記つまみ部５４よりもやや後方位置に、後述する索状部６の一端部６１を取付け操作片５の内部に連通する索状部取付孔５７を開口させている。さらに、操作片５の内部における後端５ｂ近傍には、前記差込部４の一対の磁石取付溝４３ｃに対応する位置に図示しない２つのスイッチを配設しており、差込部４に設けた永久磁石Ｍとの間にマグネットスイッチ機構Ｃを構成している。このマグネットスイッチ機構Ｃは、従来のものと同様の構成のものであるため詳細の説明を省略するが、隣接する一方の差込部４に操作片５を差し込んだ際にその差込部４に設けた永久磁石Ｍと対応する側のスイッチが作動し、他方の差込部４に操作片５を差し込んだ際にその差込部４に設けた永久磁石Ｍと対応する側のスイッチが作動するものである。
【００１５】
索状部６は、図３及び図４に示すように、その一端部６１を前記操作片５の索状部取付孔５７に挿通して取着し、他端部６２を前記パネル７の第２取付孔７４に嵌合したキャップ７５の矩形孔７５ａに係合して前記ラック３に脱落不能に取着したものである。さらに、これら両端部６１、６２を、螺旋状に延び伸縮自在且つ可撓性を有するコード６３により繋いでいる。しかして、操作片５側の端部６１を前記スイッチに接続するとともに操作片５を差込部４に差し込んだときに該端部６１を差込部４の開口端４９に設けた凹部４９ｂを通過させ、ラック３側の端部６２を図示しない電源や前記駆動機構に接続して、電源を供給したりスイッチから得られるシグナルを駆動機構に伝達し得る図示しない配線を構成している。
【００１６】
以上のような構成からなる本実施例の電動式移動ラック装置１は、以下のようにして使用される。ここでは、例えば図２に示す左端のラック３とそれに隣接するラック３との間に通路Ｂが形成された状態から、図６に示す右端のラック３とそれに隣接するラック３との間に通路Ｂを形成した状態にするためにラック３を移動させる場合について簡単に説明する。まず、図２に示すように、隣接する全てのラック３間に前記索状部６が架設されるように操作片５を差込部４に差し込む。この状態は、スイッチが切れて駆動機構に電源が供給されず、全てのラック３が停止している状態である。また、このとき索状部６は、通路Ｂ内への進入を禁止する役割を果たしている。次いで、図５に示すように、右端のラック３の差込部４から操作片５を抜いて隣のラック３の差込部４に差し込むと、これら相互のラック３にそれぞれ設けた永久磁石Ｍの位置の相違によりスイッチが入り、そのシグナルにより駆動機構に電源が供給されて、右端のラック３に隣接するラック３及びその左隣のラック３が左側に始動する。そして、これらのラック３が、図６に示す新たな通路Ｂが形成される位置まで移動し終わると自動的にスイッチが切られ、その位置で全ラック３が移動不能にロックされる。この状態から再び他の位置に通路を形成する場合は、図６に想像線で示すように、右端のラック３の差込部４に操作片５を差し込んで、索状部６により該通路Ｂへの進入を禁止し、全ての隣接するラック３間に索状部６が架設されるように操作片５が差込部４に差し込まれた状態にしてから、所望の位置の操作片５を上述と同様に操作すればよい。また、本実施例は、ラック３の移動中に通路内に残っている人や物の存在に気付いてラック３の移動を非常停止する場合、任意の操作片５を差込部４から引き抜くことによりスイッチが切られてラック３をその位置で停止させる安全機構をも兼ね備えたものである。さらに、ラック３の移動状態を、前記パネル７に設けた表示部７６で確認することもできるようにしている。
【００１７】
以上のように、本実施例の電動式移動ラック装置１は、従来のものと同様に、任意のラック３間に通路Ｂを形成するようにラック３を移動し得るものであって、このラック３の移動を操作手段Ａの操作により電気的に行うことができ、さらに操作手段Ａを構成する索状部６により通路Ｂ内への進入を禁止し得るものである。さらに、このような構成に加えて、本実施例は、操作手段Ａを構成する操作片５を着脱可能に差し込み得る差込部４の開口端４９を、前記通路Ｂの入口側となるラック３の前面部３２と略面一になるようにして差込部４を前面部３２に埋設しているために、埃等が差込部４に付着しにくく、長期に亘り安定的に使用できるものである。また、このような構成は、ラック３の前面部３２をすっきりとさせ、外観を向上し得るものでもある。
【００１８】
また、この差込部４は、開口端４９を前記前面部３２に対して略法線方向に開口するように前面部３２に取付けられているので、埃等の付着をさらに防止することができる。
さらに、この差込部４には、操作片５を差し込んでいないときに開口端４９を閉止する開閉自在な蓋体４６を配設しているので、埃等の付着をより一層防止することができるとともに、操作片５を差し込んでいないときの外観をも向上することが可能である。
【００１９】
さらに本実施例は、ラック３の前面部３２の中間高さ位置をパネル７の面板７１によって構成し、このパネル７に前記操作手段Ａを取付けるようにしているので、ラック３の構造に大きな変更を加えることなく操作手段Ａの取付けを簡便なものとすることができる。
以上のような構成の本実施例において、ラック３を電気的に付勢又は停止するスイッチを、前記差込部４と操作片５との間に構成した磁力によってスイッチが切り替るマグネットスイッチ機構Ｃとしているので、埃等が付着し易い露出した電気端子類を不要とし、半永久的に使用可能な電動式移動ラック装置１の操作手段を構成することができる。
【００２０】
なお、操作手段の配設位置関係を、隣接するラック間で相互に変更しても上記実施例と同様の効果を得ることができる。
【００２１】
その他、各部の具体的構成は、上記実施例に限られるものではなく、本発明の趣旨を逸脱しない範囲で種々変形が可能である。
【００２２】
【発明の効果】
本発明は、以上説明したような形態で実施され、以下に記載されるような効果を奏する。
すなわち、本発明の電動式移動ラック装置は、レール上に複数配設した任意のラック間に通路を形成するようにラックを電気的に移動させる操作手段を具備し、この操作手段として、相互に隣接する一対のラックに差込部を設け、この差込部に選択的に着脱可能に操作片を差し込み、操作片と隣接する一方のラックに両端部を取着して他方のラックに設けた差込部に操作片を差し込んだときに前記通路内への進入を禁止し得る索状部を設けた構成のものとしているので、従来の電動式移動ラック装置と同様に、任意のラック間に通路を形成するように電動によりラックを操作して、形成された通路への進入を索状部により禁止することができるものである。
【００２３】
このような構成において、本発明は、前記差込部の開口端をラックの前面部と略面一となるように、該差込部を前面部に埋設しているために、この差込部をラックから突出させずに埃等を付着しにくくして、接触不良や劣化の原因を少なくし、長期に亘って安定的に使用可能な電動式移動ラック装置を構成することができる。また、このような構成は、ラックの前面部から突出する部材を削減することとなり、外観をすっきりさせて良好なものとすることも可能である。
【００２４】
また、前記差込部を、その開口端がラックの前面部に対して略法線方向に開口するように該前面部に取付ける場合には、操作性を損なうことなく埃等の付着をより有効に防止することが可能である。
さらに、前記差込部の開口端に蓋体を設け、操作片が差し込まれていないときに開口端を閉止し、操作片を差し込むことによって開口端を開成するようにしている場合には、差込部への埃等の付着を更に有効に防止することができるとともに、外観の向上を図ることもできる。
【００２５】
また、ラックの前面部の一部を、操作手段を取付けるために装着するパネルの面板により構成すると、該面板を設計上大きく変更し外観を損ねることなく操作手段を取付けることができる。
以上のような電動式移動ラック装置において、前記差込部と操作片との間に、ラックを移動可能とするマグネットスイッチ機構を採用する場合には、埃等が付着し易い露出した電気端子類を使用することなく、半永久的に安定して使用し得る操作手段を構成することが可能となる。
【図面の簡単な説明】
【図１】本発明の一実施例を示す斜視図。
【図２】同正面図。
【図３】同実施例の要部を拡大して示す斜視図。
【図４】同実施例の要部を拡大、一部省略して示す断面図。
【図５】同実施例の作用を説明する正面図。
【図６】同正面図。
【符号の説明】
１…電動式移動ラック装置
２…レール
３…ラック
４…差込部
５…操作片
６…索状部
７…パネル
３２…前面部
４６…蓋体
４９…開口端
６１…一端部（端部）
６２…他端部（端部）
７１…面板
Ａ…操作手段
Ｂ…通路
Ｃ…マグネットスイッチ機構
【図１】
0003539668.tif 000002
【図２】
0003539668.tif 000003
【図３】
0003539668.tif 000004
【図４】
0003539668.tif 000005
【図５】
0003539668.tif 000006
【図６】
0003539668.tif 000007